【手続補正書】
【提出日】平成30年11月2日(2018.11.2)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）に、
第１のランダムアクセス（ＲＡ）メッセージを送信するために使用されるべき拡張カバレッジ（ＥＣ）レベルを決定する手順と、
前記第１のＲＡメッセージに応答して、送信されるべき第２のＲＡメッセージの再送レベルを前記ＥＣレベルに基づいて決定する手順と、
前記再送レベルに基づいて、前記第２のＲＡメッセージをデコーディングすべく、物理ダウンリンク制御チャネルをモニタリングする手順と、を実行させる、コンピュータプログラム。
【請求項２】
前記ＵＥにさらに、
複数のＥＣレベルのうちの個々のＥＣレベルに対するランダムアクセスリソースの構成を決定する手順を実行させる、請求項１に記載のコンピュータプログラム。
【請求項３】
前記第１のＲＡメッセージはランダムアクセスプリアンブルであり、ランダムアクセスリソースの構成を決定すべく、前記ＵＥに、
前記ＥＣレベルに対し、前記ランダムアクセスプリアンブルを送信する再送数を決定する手順を実行させる、請求項２に記載のコンピュータプログラム。
【請求項４】
ランダムアクセスリソースの構成を決定すべく、前記ＵＥに、
前記複数のＥＣレベルのうちの個々のＥＣレベルに対する周波数ホッピングの構成を決定する手順を実行させる、請求項２または３に記載のコンピュータプログラム。
【請求項５】
前記ＵＥにさらに、
複数のＥＣレベルのうちの個々のＥＣレベルに対する前記ランダムアクセスリソースの前記構成を決定すべく、システム情報を処理する手順を実行させる、請求項２から４のいずれか一項に記載のコンピュータプログラム。
【請求項６】
前記ＵＥにさらに、
ＲＡプリアンブル時間および前記ＥＣレベルに関連付けられた周波数リソースに基づき、ＲＡ無線ネットワーク一時識別子（ＲＮＴＩ）を決定する手順を実行させる、請求項１から５のいずれか一項に記載のコンピュータプログラム。
【請求項７】
前記第１のＲＡメッセージはＲＡプリアンブルであり、前記第２のＲＡメッセージはＲＡ応答であり、前記ＵＥにさらに、
前記ＥＣレベルに基づきウィンドウを決定する順と、
前記ＲＡ応答をデコーディングすべく、前記ウィンドウ内で前記物理ダウンリンク制御チャネルをモニタリングする手順と、を実行させる、請求項１から６のいずれか一項に記載のコンピュータプログラム。
【請求項８】
前記ＥＣレベルは第１のＥＣレベルであり、前記ＵＥにさらに、
前記ＲＡ応答が前記ウィンドウ内で受信されていないことを決定する手順と、
前記ＲＡ応答が前記ウィンドウ内で受信されていないという前記決定に基づき、前記ＲＡプリアンブルの再送信のための第２のＥＣレベルに切り替える手順と、を実行させる、請求項７に記載のコンピュータプログラム。
【請求項９】
前記ＵＥにさらに、
前記ＲＡ応答が前記ウィンドウ内で受信されていないことを決定する手順と、
送信試行数が、前記ＥＣレベルに対し許容される最大プリアンブル送信試行数未満であることを決定する手順と、
前記ＲＡプリアンブルが前記ＥＣレベルで再送信されるようにする手順と、を実行させる、請求項７または８に記載のコンピュータプログラム。
【請求項１０】
ｅＮＢに、
複数のＥＣレベルのうちの第１のＥＣレベルに対する拡張カバレッジ（ＥＣ）ランダムアクセス（ＲＡ）パラメータを決定する手順と、
前記複数のＥＣレベルのうちの前記第１のＥＣレベルに対する前記ＥＣ  ＲＡパラメータを含むシステム情報を生成する手順と、
前記システム情報が送信されるようにする手順と、を実行させる、コンピュータプログラム。
【請求項１１】
前記第１のＥＣレベルに対する前記ＥＣ  ＲＡパラメータは、ランダムアクセスプリアンブルの送信のための再送数を含む、請求項１０に記載のコンピュータプログラム。
【請求項１２】
前記第１のＥＣレベルに対する前記ＥＣ  ＲＡパラメータは、周波数ホッピングの構成を含む、請求項１０または１１に記載のコンピュータプログラム。
【請求項１３】
第１のＥＣレベルに対する前記ＥＣ  ＲＡパラメータは、ＲＡ応答が送信されるべきウィンドウのサイズの指標を含む、請求項１０から１２のいずれか一項に記載のコンピュータプログラム。
【請求項１４】
前記ｅＮＢにさらに、
ユーザ機器からのＲＡプリアンブルを受信する手順と、
ＲＡ無線ネットワーク一時識別子（ＲＡ‐ＲＮＴＩ）と共にＲＡ応答メッセージを送信する手順であって、前記ＲＡ‐ＲＮＴＩは、前記第１のＥＣレベルおよびＲＡプリアンブル時間および周波数リソースに基づく、送信する手順と、を実行させる、請求項１０から１３のいずれか一項に記載のコンピュータプログラム。
【請求項１５】
複数のＥＣレベルのうちの第１のＥＣレベルに対する拡張カバレッジ（ＥＣ）ランダムアクセス（ＲＡ）パラメータを格納するためのメモリと、
前記メモリに連結された１または複数のプロセッサと、を備え、
前記１または複数のプロセッサは、
前記ＥＣ  ＲＡパラメータに基づき、時間および周波数リソースを選択し、
前記時間および周波数リソースを使用して、ランダムアクセスプリアンブルがｅＮＢに送信されるようにする、装置。
【請求項１６】
前記１または複数のプロセッサはさらに、
前記ＥＣ  ＲＡパラメータに基づき、前記ランダムアクセスプリアンブルを送信するために使用されるべき再送レベルを決定する段階と、
前記ランダムアクセスプリアンブルが前記再送レベルで送信されるようにする、請求項１５に記載の装置。
【請求項１７】
前記１または複数のプロセッサはさらに、
前記第１のＥＣレベルに基づき、ＲＡ応答メッセージの再送レベルを決定し、
前記再送レベルに基づき、前記ＲＡ応答メッセージをデコーディングすべく、物理ダウンリンク制御チャネルをモニタリングする、請求項１５または１６に記載の装置。
【請求項１８】
前記１または複数のプロセッサはさらに、
前記ＥＣ  ＲＡパラメータに基づき、ウィンドウを決定し、
ＲＡ応答メッセージをデコーディングすべく、前記ウィンドウ内で物理ダウンリンク制御チャネルをモニタリングする、請求項１５から１７のいずれか一項に記載の装置。
【請求項１９】
前記１または複数のプロセッサはさらに、
前記ＥＣ  ＲＡパラメータに基づき、前記第１のＥＣレベルに対する周波数ホッピングの構成を決定する、請求項１５から１８のいずれか一項に記載の装置。
【請求項２０】
前記１または複数のプロセッサはさらに、
前記ＥＣ  ＲＡパラメータを決定すべく、システム情報を処理する、請求項１５から１９のいずれか一項に記載の装置。
【請求項２１】
前記１または複数のプロセッサはさらに、
前記ＥＣ  ＲＡパラメータに基づき、ＲＡ無線ネットワーク一時識別子（ＲＮＴＩ）を決定し、
前記ランダムアクセスプリアンブルが前記第１のＥＣレベルで再送信されるようにする、請求項１５から２０のいずれか一項に記載の装置。
【請求項２２】
第１の拡張カバレッジ（ＥＣ）レベルに使用されるべきＥＣランダムアクセス（ＲＡ）パラメータを決定するための手段と、
前記ＥＣ  ＲＡパラメータに基づき、ランダムアクセスプリアンブルを送信するための手段と、
前記ＥＣ  ＲＡパラメータに基づき、ＲＡ応答を検出するための手段と、を備える、装置。
【請求項２３】
前記ＥＣ  ＲＡパラメータを決定するための前記手段は、ｅＮＢからのシステム情報を受信するための手段を含み、前記システム情報は、前記ＥＣ  ＲＡパラメータを含む、請求項２２に記載の装置。
【請求項２４】
前記ランダムアクセスプリアンブルを送信するための手段は、前記ＥＣ  ＲＡパラメータに基づく再送数で前記ランダムアクセスプリアンブルを送信するための手段を含む、請求項２２に記載の装置。
【請求項２５】
前記ランダムアクセスプリアンブルを送信するための前記手段は、前記ＥＣ  ＲＡパラメータに基づき、ＲＡ無線ネットワーク一時識別子を決定するための手段を含む、請求項２２から２４のいずれか一項に記載の装置。
【請求項２６】
請求項１から１４のいずれか一項に記載のコンピュータプログラムを格納した１または複数のコンピュータ可読媒体。